(57)【特許請求の範囲】
【請求項１】
取っ手に払拭布を装着してなる清掃具であって、
前記払拭布は、シート状または平坦なチューブ状で、両縁部に多数の切り込みまたはくり抜きを有するものであり、
前記取っ手は、払拭布着脱部と把持部とが連結されてなり、前記払拭布着脱部はヒンジを介して開閉可能に連接した２枚の挟着片を備え、該２枚の挟着片を閉じた状態で前記払拭布を保持する保持手段を備え、
さらに、前記払拭布着脱部に対する前記払拭布の滑りを防止する滑り防止手段を備えてなり、
前記シート状払拭布は、両縁部の切り込みまたはくり抜き部分同士が重なるように二つに畳み、その間に払拭布着脱部を挟むように、取っ手に位置を合わせてから前記２枚の挟着片を閉じることにより、取っ手に装着されており、
前記平坦なチューブ状払拭布は、チューブ内に払拭布着脱部を挿入して取っ手に位置を合わせ、切り込みまたはくり抜き部分同士が重なるように二つに畳み、または畳まずに、払拭布着脱部の前記２枚の挟着片を閉じることにより、取っ手に装着されている
清掃具。
【請求項２】
前記把持部が２つの把持片からなり、各把持片が、各挟着片の反ヒンジ側端部に連接固定されてなる請求項１記載の清掃具。
【請求項３】
前記把持部が１つの把持片からなり、前記２枚の挟着片の一方が反ヒンジ側端部において上記把持片と連接固定されてなる請求項１記載の清掃具。
【請求項４】
前記ヒンジが、前記挟着片を表裏２方向へ折り畳み可能である請求項２または３記載の清掃具。
【請求項５】
前記挟着片を開いた状態で少なくとも前記払拭布の両端部を仮止めする仮止め手段を備えてなる請求項１ないし４のいずれか１項に記載の清掃具。
【請求項６】
前記滑り防止手段が、前記払拭布に係止する面状ファスナーである請求項１記載の清掃具。
【請求項７】
前記ヒンジに、前記払拭布に係止するか、または前記払拭布を貫通する針状突起が形成されてなる請求項１ないし６のいずれか１項に記載の清掃具。
【請求項８】
前記払拭布着脱部と前記把持部が別素材により形成されてなる請求項１ないし７のいずれか１項に記載の清掃具。
【請求項９】
前記払拭布着脱部と前記把持部が二色成形法により形成されてなる請求項８記載の清掃具。
【請求項１０】
前記払拭布着脱部が前記把持部よりも柔軟な素材により形成されてなる請求項８または９記載の清掃具。
【発明の詳細な説明】
【０００１】
【発明の属する技術分野】
本発明は清掃具に関し、より詳しくは、取っ手に対して払拭布を着脱するタイプの手持ち式の清掃具に関するものである。
【０００２】
【従来の技術】
取っ手に払拭布を着脱する手持ち式の清掃具は、例えば実公平４−２０３８４号公報に開示されている。該公報に記載された清掃具は、二股の音叉状に形成されている取っ手の先端部分に払拭布を取りつけるようになっている。払拭布は、中央部分に固定用の小さなベルトを縫い付けた細い帯状のキャンバス地と、各々が該キャンバス地の幅より長い多数の紐を前記キャンバス地の長手方向に対して垂直に並べて縫着してなる房状部とから構成される帯状物の左右両端をそれぞれ中央に向かって折り重ねた状態で、重なり部分のキャンバス地の両縁を長手方向に縫合することにより、キャンバス地の両端部を、開口の向かい合った袋状とし、取っ手の装着部分としている。
このような払拭布は、その袋状装着部分が外側となるようにＵ字状にし、各袋状装着部分の開口部に取っ手の先端を一本ずつ差し込むことにより取っ手に装着される。また、それだけでは払拭布が取っ手から外れるおそれがあるので、払拭布の外側中央部に縫い付けたベルトを取っ手に設けたフックに引っ掛けて留めるようにしている。
【０００３】
【発明が解決しようとする課題】
しかし、上記従来の清掃具は、取っ手に対する払拭布の着脱が煩わしいうえ、取っ手および払拭布の構造が非常に複雑で製造コストが高いという問題があった。また、払拭布の房状部を構成する紐が二重になっていて、しかもそれが取っ手の先端の音叉状部分に沿って二列に並んでいるので、嵩高く窓用ブラインドの隙間のような、狭くて埃の取りにくい箇所を掃除するのには適していなかった。
従って、本発明は、取っ手に対して払拭布を着脱するタイプの清掃具において、その着脱が容易に行えるようにするとともに、取っ手と払拭布の構造を簡単にして製造コストを低く抑え、さらに狭くて埃の取りにくい箇所を掃除するの適した清掃具の提供を課題としてなされたものである。
【０００４】
【課題を解決するための手段】
すなわち、本発明は以下の清掃具に関するものである。
（１）取っ手に払拭布を装着してなる清掃具であって、
前記払拭布は、シート状または平坦なチューブ状で、両縁部に多数の切り込みまたはくり抜きを有するものであり、
前記取っ手は、払拭布着脱部と把持部とが連結されてなり、前記払拭布着脱部はヒンジを介して開閉可能に連接した２枚の挟着片を備え、該２枚の挟着片を閉じた状態で前記払拭布を保持する保持手段を備え、
さらに、前記払拭布着脱部に対する前記払拭布の滑りを防止する滑り防止手段を備えてなり、
前記シート状払拭布は、両縁部の切り込みまたはくり抜き部分同士が重なるように二つに畳み、その間に払拭布着脱部を挟むように、取っ手に位置を合わせてから前記２枚の挟着片を閉じることにより、取っ手に装着されており、
前記平坦なチューブ状払拭布は、チューブ内に払拭布着脱部を挿入して取っ手に位置を合わせ、切り込みまたはくり抜き部分同士が重なるように二つに畳み、または畳まずに、払拭布着脱部の前記２枚の挟着片を閉じることにより、取っ手に装着されている
清掃具。
（２）前記把持部が２つの把持片からなり、各把持片が、各挟着片の反ヒンジ側端部に連接固定されてなる前記（１）記載の清掃具。
（３）前記把持部が１つの把持片からなり、前記２枚の挟着片の一方が反ヒンジ側端部において上記把持片と連接固定されてなる前記（１）記載の清掃具。
（４）前記ヒンジが、前記挟着片を表裏２方向へ折り畳み可能である前記（２）または（３）記載の清掃具。
（５）前記挟着片を開いた状態で少なくとも前記払拭布の両端部を仮止めする仮止め手段を備えてなる前記（１）ないし（４）のいずれか１つに記載の清掃具。
（６）前記滑り防止手段が、前記払拭布に係止する面状ファスナーである前記（１）記載の清掃具。
（７）前記ヒンジに、前記払拭布に係止するか、または前記払拭布を貫通する針状突起が形成されてなる前記（１）ないし（６）のいずれか１つに記載の清掃具。
（８）前記払拭布着脱部と前記把持部が別素材により形成されてなる前記（１）ないし（７）のいずれか１つに記載の清掃具。
（９）前記払拭布着脱部と前記把持部が二色成形法により形成されてなる前記（８）記載の清掃具。
（１０）前記払拭布着脱部が前記把持部よりも柔軟な素材により形成されてなる前記（８）または（９）記載の清掃具。
【０００５】
【発明の実施の形態】
本発明の清掃具の取っ手は、ヒンジを介して開閉可能に連結した２つの部材からなる払拭布着脱部と、該払拭布着脱部の少なくとも一端に結合された把持部とからなるが、このように構成することにより、２つの部材間に払拭布を挟んだ状態で保持して清掃具とすることができることを特徴とする。
この取っ手に装着する払拭布には、シート状または平坦なチューブ状で、両縁部に多数の、好ましくはそれぞれが概略平行な切り込みまたはくり抜きを有するものを使用する。ここで払拭布の両縁部への切り込みまたはくり抜きは、払拭布が取っ手に装着された際に該取っ手の長手方向に対して垂直ないしはそれに近い角度で設けられることが好ましく、これにより、清掃具の使用時、房状ないしそれに近似する形状が提示される。シート状払拭布は、両縁部の切り込みまたはくり抜き部分同士が重なるように二つに畳み、その間に払拭布着脱部を挟むように、取っ手に位置を合わせるか、畳まずに広げたまま位置を合わせてから払拭布着脱部を構成する２つの部材を閉じることにより、取っ手に装着できる。平坦なチューブ状払拭布はチューブ内に払拭布着脱部を挿入して取っ手に位置を合わせ、上記と同様に二つに畳み、または畳まずに、払拭布着脱部の２つの部材を閉じることにより、取っ手に装着できる。また、払拭布には、払拭布着脱部を通すスリット等を設けることにより、取っ手に対する払拭布の位置決めが容易になされ、取っ手への装着後の払拭布の落下を防止することができる。払拭布は取っ手に対して１枚のみを装着しても、また２枚以上の複数枚を重ねて装着してもよい。
このように、本発明においては、開いた払拭布着脱部の２つの部材と払拭布とを適当に配置してから、該部材を閉じるだけで、払拭布を取っ手に簡単に装着することができるので、組み立て作業の煩わしさがない。また、取っ手が払拭布着脱部の２つの部材をヒンジで開閉可能にした簡単な構造であり、払拭布もまた両縁部に切り込みやくり抜きを入れたシートまたは平坦なチューブからなる簡単な構造であるから、製造コストを低く抑えることができる。さらに、払拭布としてはシート状または平坦なチューブ状のものを用いているため、窓用ブラインドの隙間等の狭い箇所の掃除も容易である。
【０００６】
また、上記構成においては、払拭布着脱部の２つの部材の一方を、他方の部材に対して、ヒンジを軸として両方向に回転可能であるようにすることにより、どちらの方向に閉じても同様に払拭布を装着することができ、使用性が非常に向上する。
一方、把持部は払拭布着脱部に対して一体に形成されても、また連結手段を介して結合されてもよく、多様な製品形態をとることができる。
さらに、払拭布着脱部を構成する２つの部材を開いた状態で払拭布を仮止めする手段や、それらを閉じた状態に保持する手段等を備えていてもよく、これらの手段は上記部材または把持部に設けても、また別部材を用いてもよい。
【０００７】
本発明の清掃具の取っ手は、払拭布着脱部と把持部とが連結されてなる清掃具の取っ手であって、上記払拭布着脱部はヒンジを介して開閉可能に連接した２枚の挟着片を備え、該２枚の挟着片を閉じた状態で払拭布が保持される。
前記取っ手において、把持部を２つの把持片により構成し、その各把持片を各挟着片の反ヒンジ側端部に連接固定したり、把持部を１つの把持片により構成し、２枚の挟着片の一方を反ヒンジ側端部において上記把持片と連接固定したりすることができる。前者（把持片が２つ）の場合、両把持片を持って挟着片を開閉すればよく、後者（把持片が１つ）の場合、把持片に固定されていない挟着片と把持片とを持って開閉すればよい。
また、上記２つの把持片からなる把持部の場合、連接した把持片と挟着片を１枚の平坦な板状にしておけば、挟着片をヒンジにより表裏どちら向きに閉じても払拭布を挟むことが可能となる。一方、１つの把持片からなる把持部の場合もまた、取っ手の先端部分にヒンジが位置するので、前者と同様に挟着片をどちら向きに閉じても払拭布を挟むことができる。
前記取っ手において、挟着片を開いた状態で少なくとも払拭布の両端部を仮止めする仮止め手段を備えていることが好ましい。これにより、開いた挟着片を閉じる際に払拭布の位置がずれるのを防止できる。この構成は特に複数枚の払拭布を重ねて使用する場合に効果的である。
さらに、前記取っ手において、２枚の挟着片を閉じた状態に保持する保持手段を備えて
いる。これにより、清掃具の使用中に挟着片が誤って開いてしまうことを防止できる。
【０００８】
本発明の清掃具の取っ手は、払拭布着脱部に対する払拭布の滑りを防止する滑り防止手段を備えている。この滑り防止手段としては、挟着片の合わせ面に設ける互いに噛み合う凹凸や、払拭布と係止する面状ファスナー等を挙げることができる。このような滑り防止手段を設けておくことにより、清掃具の使用中に払拭布の位置がずれてしまうのを防止できる。
このような位置ずれは、ヒンジに、払拭布に係止するか、または払拭布を貫通する針状突起を形成することによっても防止できる。
本発明の清掃具の取っ手は、払拭布着脱部と把持部が別素材を用いて、例えば二色成形法により形成することができる。この場合、払拭布着脱部を把持部よりも柔軟な素材により形成することにより、清掃中に取っ手が被払拭部材を傷めるのを防止することができる。これは、特に、窓用ブラインド等の傷つきやすい箇所の掃除のための清掃具として好ましい手段である。
【０００９】
【実施例】
次に、本発明の実施例について図面を参照して説明するが、本発明はこれらに限定されるものではない。
【００１０】
まず、図１ないし図５に示した第１実施例について説明する。
図１は本発明の清掃具の取っ手１の分解斜視図である。取っ手１は、払拭布着脱部１０と、２枚の把持片２０ａ，２０ｂからなる把持部２０とから構成されている。払拭布着脱部１０はスチレン共重合体等のエラストマーを射出成形したもので、長方形の板状の２枚の挟着片１１を縦に並べ、その間を薄肉のヒンジ１２により連接している。この薄肉のヒンジ１２により、挟着片１１は表裏２方向に折り畳み可能となっている。
各挟着片１１のヒンジ側端部には、表裏両面ともに小さな突条（滑り防止手段）１３が形成されている。この突条１３は、挟着片１１の一方に２本、他方に３本形成されており、互いに位相をずらして配置されている。また、各挟着片１１の反ヒンジ側の端面には、各把持片２０ａ，２０ｂを連接固定するための開口１４が形成されている。開口１４は、奥に幅広の係止部１４ａを備えている。
把持片２０ａ，２０ｂは、ポリプロピレンを射出成形した細長い板状の部材で、それぞれ先端部に、挟着片１１の開口１４に挿入固定される薄い連結片２１が形成されている。この連結片２１は、先端の左右両側に鍔２１ａを有し、中央に切欠き２１ｂが設けられている。連結片２１は、挟着片１１の開口１４に挿入するとき、鍔２１ａの先端部の外寸が小さくなるように弾性変形し、鍔２１ａが開口１４の係止部１４ａに達すると元の形状に戻って、把持片２０ａ，２０ｂが挟着片１１から簡単には抜けなくなる。
一方、各把持片２０ａ，２０ｂは、挟着片１１，１１を開いた状態で払拭布（後述）の両端部を仮止めする手段として、連結片２１の後方位置に、それぞれ略三角形の押さえ片２２を２枚ずつ有している。各押さえ片２２は把持片２０ａ，２０ｂの本体にヒンジ２２ａを介して折り曲げ可能に連接しており、各把持片２０ａ，２０ｂに設けられた２枚の押さえ片２２は、把持片２０ａ，２０ｂを長手方向の中心線の回りで１８０度回転させたときに、一方が他方と同じ形状、同じ配置を呈するようになっている。
各押さえ片２２は把持片２０ａ，２０ｂの本体との合わせ面にピン２２ｂを有し、把持片２０ａ，２０ｂは、押さえ片２２との合わせ面に、該ピン２２ｂが嵌合するエックス（Ｘ）形状の凹部２３を有している。該凹部２３の裏側は座ぐり２４になっている。また、押さえ片２２は、それぞれ先端側に、払拭布を押さえるための数個の小さな突起２２ｃを有している。
一方の把持片２０ａの後端部には貫通穴２５が形成されている。また、他方の把持片２０ｂの後端部には、該貫通穴２５と嵌合するボス２６が表裏両面に形成されている。従って、ボス２６は挟着片１１をヒンジ１２で表裏どちらの向きに折り畳んだ場合でも、貫通穴２５と嵌合する。貫通穴２５とボス２６により、２枚の挟着片１１を閉じた状態に保持する保持手段が構成されている。
【００１１】
図２は、上で説明した取っ手１に装着される払拭布２を示す平面図である。この払拭布２には、一般に化学ぞうきんと呼ばれるシート状ワイパーを用いており、上下両縁部にほぼ平行な多数の切り込み２ａを入れている。シート状ワイパーの材質、構成等は何ら制限されないが、例えば親水性繊維（レーヨン，綿等）と疎水性繊維（ポリエステル，ポリオレフィン等）を積層してなるワイパー、例えばレーヨン／ポリエステル／レーヨンの３層構造のもの等が使いやすく、好ましい。また、埃を捕集しやすくするため、上記ワイパーに適宜鉱物油、植物油、シリコーン油等を含浸させてもよい。多数の切り込み２ａの形状は任意であるが、埃の捕集性、使用性等の点から、切り込みの間隔を０．５〜２．０ｃｍ、深さを３．０〜８．０ｃｍ程度にするのが好ましい。
【００１２】
図３ないし図５は、取っ手１に払拭布２を装着する手順を概略的に示す斜視図である。まず、図３に示すように、挟着片１１，１１を開いた取っ手１の上に、払拭布２を仮想線で示すように広げて載置する。このとき、払拭布２は、その中心線Ｃ1 を取っ手の中心線Ｃ2 から少しずらして置き、両端部を、ピン２２ｂが上を向いた側の押さえ片２２の下に通しておく。
次に、押さえ片２２を矢印Ａで示す方向へ折り曲げてピン２２ｂを凹部２３に嵌め込み、払拭布２を取っ手１に仮止めする。そして、これと並行して取っ手１を図４に示すように中心線Ｃ2 の回りで９０度回す方向へ起こしながら、払拭布２をほぼ中心線Ｃ1 の位置で２つに折り畳んで、挟着片１１，１１を挟むようにする。さらに、残った２つの押さえ片２２も図４に矢印Ｂで示す方向に折り曲げて、挟着片１１，１１の反対側の面でも払拭布２を仮止めする。最後に、２枚の挟着片１１，１１をヒンジ１２で折り曲げ、両把持片２０ａ，２０ｂの後端部を合わせてボス２６を貫通穴２５に嵌め込むことにより、清掃具の組み立てが完了する（図５）。
【００１３】
このように、本実施例の清掃具は、以上の手順に沿って、開いた挟着片１１に払拭布２を載せてから挟着片１１を閉じるだけで、簡単に素早く組み立てることができ、組み立て作業の煩わしさがない。また、図３および図４に示すように挟着片を開いた状態で払拭布２を取っ手１に仮止めするようにしているので、図５の組み立て状態に移行するときに払拭布２の位置がずれてしまうことがなく、組み立て作業のやり直しはほとんど不要である。そのうえ、組み立てが完了すると挟着片１１のヒンジ側端部に形成した突条１３同士が噛み合い、その間に払拭布２が挟まれるので、清掃具の使用中に払拭布２の位置がずれることもない。
また、上記の清掃具においては、取っ手１と払拭布２がともに簡単な構成であるから、製造上のコストを低く抑えることが可能であるうえ、払拭布２にシート状ワイパーを用いているため、窓用ブラインドの隙間等の狭い箇所を掃除するのも容易である。さらには、挟着片１１を把持片２０ａ，２０ｂよりも柔軟なエラストマー材料から形成していることと、挟着片１１が払拭布２に覆われて表面に出ないようになっていることにより、使用中に窓用ブラインド等の被払拭側の部材を傷める恐れも少ない。
なお、払拭布着脱部１０と把持部２０は、各成形材料を別の色にしてデザイン性を高めることもでき、把持部２０は、持ちやすくするために梨地加工を施したり、丸みをもたせて成形したり、清潔さを保つために抗菌加工を施してもよい。また、払拭布着脱部１０と把持部２０は、上記第１実施例のように別々に成形するのではなく、二色成形法（２つの材料を用いて同時に成形する方法）を用いて一体に成形してもよい。挟着片１１の内側および／または外側に払拭布２がずれてしまわないように、払拭布２と係合する面状ファスナーを取りつけておくこともまた好ましい。
【００１４】
次に、把持部を一本の把持片で構成した第２実施例について、図６を用いて説明する。この実施例の取っ手３は、払拭布着脱部３０と把持部４０とがポリプロピレンから一体に成形されている。そして、払拭布着脱部３０は、２枚の挟着片３１ａ，３１ｂをヒンジ３２で開閉可能に連接した構成で、その一方３１ａが、反ヒンジ側の端部において把持片４１と連接している。
把持片４１と連接した挟着片３１ａの基端部には、表裏両面にピン３３が形成され、他方の挟着片３１ｂには、このピン３３が嵌合するＸ形状の貫通穴３４が形成されていて、これらにより、挟着片３１ａ，３１ｂを閉じた状態に保持する手段が構成されている。また、各挟着片３１ａ，３１ｂには、払拭布４の滑り防止手段として、一定間隔で連続して配置した斜め向きの突条３５が表裏両面に形成されている。なお、この突条３５は、両挟着片３１ａ，３１ｂを閉じたときに互いに重ならない位置に配置されている。
図示の例では、払拭布４は、幅を挟着片３１ａ，３１ｂの片方の長さと同程度にしたものを用いており、両縁部には第１実施例と同様に複数の切り込み４ａが形成されているこの払拭布４は、把持片４１に連接した挟着片３１ａを挟むように配置し、両挟着片３１ａ，３１ｂを閉じるだけで、取っ手に簡単に取りつけることができる。また、払拭布４を取っ手３に取りつけた後は、挟着片３１ａ，３１ｂが外れたり、払拭布４がずれたりする不具合はなく、第１実施例の清掃具と同様に、窓用ブラインドの隙間等のような狭い箇所でも容易に掃除することができる。なお、この例は第１実施例よりもさらに構成が簡単であるため、より一層のコストダウンを図ることができる。
【００１５】
次に、取っ手の第３実施例について、図７の分解斜視図を用いて説明する。この取っ手５の払拭布着脱部５０は、図１の例とほぼ同じく、２枚の挟着片５１，５１がヒンジ５２で折り曲げ可能に連接され、反ヒンジ側の端部に開口５４を有しているが、突条５３の向きと、反ヒンジ側の端部にも突条５５が２本ずつ形成されている点で、図１の例とは異なっている。
把持部６０の各把持片６１は、先端に鍔６２ａを有する連結片６２を有しているが、本実施例では把持部６０と払拭布着脱部５０とを挿入嵌合した後、取外し可能とするための連結片６２への中央の切欠き（図１の２１ｂ）は形成していない。また、図１において仮止め手段として示した押さえ片２２はこの把持片６１には形成されておらず、別体の押さえ部材６３を用いるようにしている。把持片６１は、後端の一部と先端のごくわずかな部分を除く領域が、厚さの薄い押さえ部材用位置調整部６４として形成され、この位置調整部６４の先端位置に３本の突条６５が形成されている。
押さえ部材６３は側面視大略コの字形の部材で、２枚の押さえ面６３ａ，６３ｂがヒンジ部６３ｃで開閉可能につながれている。ヒンジ部６３ｃには、把持片６１の押さえ部材用位置調整部６４の断面形状とほぼ同じ形状の開口６３ｄが形成されている。また、押さえ面６３ａ，６３ｂの内面には、払拭布を押さえる３本の突条６３ｅと、押さえ面６３ａ，６３ｂ同士を閉じた状態に保持するための突起６３ｆと穴６３ｇが形成されている。突起６３ｆおよび穴６３ｇが把持片６１の外に位置するように、押さえ面６３ａ，６３ｂは一部が広がった形状になっている。
この押さえ部材６３は、把持片６１に対して後端から圧入して取りつけることにより、位置調整部６４の範囲内において矢印Ｄ方向にスライドさせることができる（図では左側の押さえ部材６３を閉じた状態で示しているが、押さえ部材６３は開いた状態にするとスライド容易になる）。押さえ部材６３は、位置調整部６４の先端側において、開口６３ｄと噛み合う突条６５を選択することにより位置調整できる。そして、押さえ部材６３を適宜位置調整した後は、第１実施例の説明の際に図３ないし図５を用いて説明したものとほぼ同様にして払拭布を取っ手５に押さえ部材６３により仮止めしながら簡単に取りつけることができ、第１実施例の場合と同様の効果を得ることができる。
【００１６】
なお、先にも言及したが、本発明は提示した実施例に限定されるものではなく、その他、種々の態様で実施することができる。例えば、仮止め手段は、図８および図９に示すように変形することもできる。図８は、図１に示した押さえ片２２を半分の幅に形成し、先端側の小さな突起２２ｃをなくした押さえ片２７を仮止め手段とした例である。第１実施例においては、図５に示すように清掃具を組み立てたときに、挟着片１１，１１の内面で２枚の押さえ片２２が重なるために把持片２０ａ，２０ｂの間に比較的大きな隙間が生じていたが、図８に示すような押さえ片２７とすることにより、それらの重なりがなくなるため、その隙間を半分にすることができる。
図９は、押さえ片２８をヒンジ２８ａで挟着片１１の方へ向かって折り畳み可能なアーム状に形成して、その先端に形成した突起２８ｂを、挟着片１１に形成した貫通穴１５に嵌合するようにした例である。このようにすれば、突起２８ｂを貫通穴１５に挿入するときに払拭布２も一緒に押し込まれるので、取っ手１に対する払拭布２の仮止めがより確実となる。
払拭布の位置ずれを防止するための手段の他の変形例として、図１において仮想線で示した両挟着片１１の間のヒンジ１２に形成した針状の突起１６が挙げられる。この突起１６は、図５に示すように清掃具を組み立てたときに、払拭布２を貫通するか、または係止するようにしておくとよく、これにより清掃具の使用中の払拭布２の位置ずれがほとんど生じなくなる。
また、図１０の（Ｉ）に示すように、一対の挟着片１１間のヒンジ１２にＵ字状の切り込み１６ｂを形成しておいて、（ＩＩ）に示すように、払拭布２を一対の挟着片１１間に挟着した際に、Ｕ字状の切り込み１６ｂによって形成される突起１６ａを外方に突出させ、この突起１６ａが払拭布２に係止するようにしてもよい。
その他、払拭布２の仮止め手段として設けた押さえ片２２，２７，２８および押さえ部材６３や、挟着片１１を閉じた状態に保持する保持手段として設けた貫通穴２５およびボス２６や、払拭布２の滑り防止手段として設けた突条１３などは、適宜形状を変更することができる。
【００１７】
また、上記各実施例やその変形例では、払拭布２を２つに畳んで挟着片１１を挟むようにしてから挟着片１１を閉じ、払拭布２の切り込みを入れた部分（房）が把持片２０ａ，２０ｂの片側だけに出る例について説明したが、払拭布２を開いたまま挟着片１１を閉じて、房が把持片２０ａ，２０ｂの両側に出るようにして使用してもよい。また、払拭布は２枚またはそれ以上を重ねて使用したり、図１１に示す切り込み２ａ’を入れた払拭布２’のように２枚分が連続したものを中心線Ｃ3 で折り重ねて使用してもよい。
さらに別の払拭布の形態を次に説明する。
まず、図１２の（Ｉ）には、取っ手を挿入するためのスリットを設けたタイプの払拭布６を示す。切り込み２ａの形状は図２に示すものと概略同様であるが、切り込み２ａのない中央部に該切り込み２ａと概略平行な２本の切り込みからなるスリット２ｂ，２ｂを左右両端部に設けてある。この払拭布６を、例えば図１に示す取っ手と概略等しいが、把持片２０ａ’，２０ｂの両面に梨地加工Ｓが施してある取っ手１’に装着して清掃具とした状態を図１２の（ＩＩ）に示す。スリット２ｂ間のＥで示した部分が挟着片１１の露出部となるように、取っ手１の挟着片１１をスリット２ｂに通しているため、払拭布の位置ずれや脱落がさらに防止される。スリット２ｂは各々１本のみ設けてもよい。
図１３の（Ｉ）には、払拭布７の上下両縁部に切り込みではなく、傾斜した楕円形のくり抜き２ｃを概略平行に多数設けた払拭布７を示す。また、この払拭布７には図１２におけるスリット２ｂ，２ｂの代わりに、円形のくり抜き２ｂ’，２ｂ’を左右両端部に設けてある。この払拭布７を、図１３の（ＩＩ）に示す取っ手８に装着する。この取っ手８は図６に示したタイプの把持部が１つの部材からなるものであり、その把持部８０は円柱状ですべり止めのための隆起部８０ａを平行にいくつか配設し、該把持部８０の先端は円柱を半分に縦裂した形状の挟着片８１ａ，８１ｂがヒンジ８２を介して連接され、該ヒンジ８２は挟着片を一方向のみに回転可能としている。挟着片８１ａ，８１ｂはそれぞれの合わせ面の貫通穴８４とピン８３とで閉じた状態に保持され、円柱状の払拭布着脱部８１が形成される。また、挟着片８１ａ，８１ｂの合わせ面には、払拭布のずれ等を防止するための梨地が施している。上記挟着片８１ａ，８１ｂを開いた状態で払拭布７のくり抜き２ｂ’に通し、挟着片を挟むように払拭布を二つに折り畳んだ後、ピン８３を貫通穴８４に嵌合して挟着片を閉じ合わせると、図１３の（ＩＩＩ）に示す清掃具とすることができる。切り込みにより形成される房形態とは異なる払拭部が多数のくり抜き２ｃにより形成され、上記の清掃具と同様の除塵作用が得られ、取っ手１を円形のくり抜き部２ｂ’に通しているため、払拭布の位置ずれや脱落がさらに防止される。また、把持部８０が円柱状で、すべり止めを付してあるため非常に使用性が良好で、挟着片８１ａ，８１ｂが一方向のみの開閉ではあるが、片面が丸みを帯びているため、払拭布の装着が容易で、しかも組み立て後は全体に角部がないため、被清掃部を傷め難い。
さらに別の払拭布の態様を図１４の（Ｉ）に示す。この払拭布９は平坦なチューブ状のシート状ワイパーからなり、その上下両縁部には概略平行な多数の切り込み９ａを設けてある。この払拭布９の取っ手への装着は、図１４の（ＩＩ）に示すように、まず取っ手１”をチューブ状の払拭布９の中央部に挿入して、そのまま、または図３に示すように中心線から下方に少しずらして挿入し、該中心線で払拭布９の上半分を折り畳んで切り込みによる房部が重なるようにした後に、ヒンジ１２”を介して挟着片１１”，１１”を閉じ合わせ、そして把持片２０ａ”，２０ｂ”を閉じ合わせて行う。折り畳んだ場合の組み立て後の清掃具は図５に示すものとほぼ同一な片側に房部が存在するものであり、また、折り畳まずに組み立てた場合、両側に存在する清掃具となる。平坦なチューブ状の払拭布を使用する場合もまた、構造が簡単であり、取っ手への装着が容易である。さらに、払拭布がチューブ状であるため、上下両縁にフリーの端部がなく、取っ手からの脱落がより確実に防止される。
【００１８】
【発明の効果】
以上詳細に説明したように、本発明の清掃具は、取っ手に対する払拭布の着脱が極めて容易であり、しかも取っ手および払拭布の構造が簡単であり製造コストが低く、さらに窓用ブラインドの隙間等の狭くて埃の取りにくい箇所の掃除を容易に行うことができる。
【図面の簡単な説明】
【図１】本発明に係る清掃具の取っ手の第１実施例を示す分解斜視図である。
【図２】図１に示す取っ手に装着する払拭布の平面図である。
【図３】図１に示す取っ手に図２に示す払拭布を装着する際の第１段階を示す斜視図である。
【図４】図１に示す取っ手に図２に示す払拭布を装着する際の第２段階を示す斜視図である。
【図５】図１に示す取っ手に図２に示す払拭布を装着した清掃具を示す斜視図である。
【図６】本発明に係る清掃具の取っ手の第２実施例を示す斜視図である。
【図７】本発明に係る清掃具の取っ手の第３実施例を示す分解斜視図である。
【図８】本発明に係る清掃具に使用する押さえ片の変形例を示す斜視図である。
【図９】本発明に係る清掃具に使用する押さえ片の別の変形例を示す斜視図である。
【図１０】（Ｉ）は図１に示す取っ手のヒンジに切り込みを形成した変形例を示す要部斜視図であり、（ＩＩ）は（Ｉ）に示す変形例に係る取っ手に払拭布を装着した状態を示す要部断面図である。
【図１１】本発明に係る払拭布の別の態様を示す平面図である。
【図１２】（Ｉ）は中央部にスリットを設けた本発明に係る払拭布の一例を示す平面図であり、（ＩＩ）は（Ｉ）に示す払拭布を装着した清掃具の斜視図である。
【図１３】（Ｉ）は両端部にくり抜きを設けた本発明に係る払拭布の一例を示す平面図であり、（ＩＩ）は（Ｉ）の払拭布を装着する取っ手の斜視図であり、（ＩＩＩ）は（Ｉ）に示す払拭布を（ＩＩ）に示す取っ手に装着した清掃具の平面図である。
【図１４】（Ｉ）は平坦なチューブ状の本発明に係る払拭布の一例を示す斜視図であり、（ＩＩ）は（Ｉ）に示す払拭布を装着して清掃具を組み立てる状態を示す平面図である。
【符号の説明】
１，１’，１”，３，５，８  取っ手
２，２’，４，６，７，９  払拭布
２ａ，２ａ’，４ａ，９ａ  切り込み
２ｃ  くり抜き
１０，３０，５０，８１  払拭布着脱部
１１，３１ａ，３１ｂ，５１，８１ａ，８１ｂ  挟着片
１２，３２，５２，８２  ヒンジ
１３，３５，５３  突条（滑り防止手段）
１６，１６ａ  突起（滑り防止手段）
２０，４０，６０，８０  把持部
２０ａ，２０ｂ，２０ａ’，２０ｂ’，４１，６１  把持片
２２，２７，２８  押さえ片（仮止め手段）
２５  貫通穴（保持手段）
２６  ボス（保持手段）
３３，８３  ピン（保持手段）
３４，８４  貫通穴（保持手段）
６３  押さえ部材（仮止め手段）
【図１】
0004013095.tif 000002
【図２】
0004013095.tif 000003
【図３】
0004013095.tif 000004
【図４】
0004013095.tif 000005
【図５】
0004013095.tif 000006
【図６】
0004013095.tif 000007
【図７】
0004013095.tif 000008
【図８】
0004013095.tif 000009
【図９】
0004013095.tif 000010
【図１０】
0004013095.tif 000011
【図１１】
0004013095.tif 000012
【図１２】
0004013095.tif 000013
【図１３】
0004013095.tif 000014
【図１４】
0004013095.tif 000015